(57)【特許請求の範囲】
【請求項１】
薄いフレームを備えるフラットパネルディスプレイであって、
フレーム構造と、
反射器と、バックライトユニットと、光ガイド板と、光学膜と、
制御回路板と、
セルと、
頂部フレームとを含み、
前記フレーム構造は、第一支持部と、第二支持部と、側部とを含み、前記第一支持部は、凹部を含み、
前記反射器は、前記第一支持部の上に構成され、前記バックライトユニット及び前記光ガイド板は、前記反射器の上に構成され、前記光学膜は、前記光ガイド板の上に構成され、
前記制御回路板は、前記フレーム構造の前記凹部に構成され、
前記セルは、前記第二支持部の上に配置され、可撓接続配線を介して前記制御回路板に電気的に接続され、
前記頂部フレームは、前記セルを固定するために、前記セル及び前記側部に取り付けられ、
当該フラットパネルディスプレイは、
第一組立て端部を含む第一カバーと、
第二組立て端部を含み且つ前記セルの外周を覆う第二カバーと、
前記バックライトユニットと前記セルとの間に構成されるクッションとを更に含み、
前記フレーム構造は、前記第一カバーに組み立てられ、前記第二カバーは、前記第二組立て端部を前記第一組立て端部に固定することによって、前記第一カバーと共に組み立てられ、
前記フレーム構造は、前記フレーム構造が前記第一カバーに組み立てられるために、固定具を介して前記第一カバーに固定されるよう前記側部に配置される突起を含む、
フラットパネルディスプレイ。
【請求項２】
前記フレーム構造は、モノリシック構造である、請求項１に記載のフラットパネルディスプレイ。
【請求項３】
前記反射器、前記バックライトユニット、前記光ガイド板、及び、前記光学膜は、第一方向に沿って前記第一支持部の上に順々に積み重なり、前記セルは、前記第一方向に沿って前記第二支持部の上に配置され、前記フレーム構造の前記側部は、前記第一方向の向きを有し、前記可撓接続配線は、前記制御回路板に接続するよう前記第一方向に沿って延びる、請求項１に記載のフラットパネルディスプレイ。
【請求項４】
前記可撓接続配線は、チップ・オン・フィルム（ＣＯＦ）回路である、請求項１に記載のフラットパネルディスプレイ。
【請求項５】
前記バックライトユニットは、前記光ガイド板の側に構成される発光ダイオードである、請求項１に記載のフラットパネルディスプレイ。
【請求項６】
前記可撓接続配線は、前記凹部に向かって光源側に沿って延び、前記制御回路板に接続する、請求項５に記載のフラットパネルディスプレイ。
【発明の詳細な説明】
【技術分野】
【０００１】
本発明はフラットパネルディスプレイに関し、より具体的には、光源及び制御盤側で薄いフレーム設計を備えるフラットパネルディスプレイに関する。
【背景技術】
【０００２】
従来的なフラットパネルディスプレイは、バックライトモジュール、及び、発光ダイオード源、光ガイド板、光学膜、プリズム膜、セル等のようなパネルの各構成部品を保護するフレーム構造を必要とする。構成部品がパネル工場内でパネルモジュールとなるようフレーム構造内に一体に組み立てられた後、パネルモジュールは、頂部カバーと底部カバーとを概ね含む最外側のハウジングとの組立てのために、システム工場に輸送される。システム工場内で組み立てられる頂部カバー及び底部カバーは、パネルモジュールのための保護及び装飾として働くのが普通であり、パネルモジュールの構造に対する如何なる保護機能も有さない。
【０００３】
図１を参照のこと。図１は、従来技術に従ったパネルモジュール１０の非光源側組立体を示す概略図である。パネルモジュール１０は、主支持構造としてフレーム構造１１を使用する。先ず、プラスチック支持体１２がフレーム構造１１内に組み立てられ、次に、フレーム構造１１の上に、反射器１３、光ガイド板１４、及び、光学膜１５が順々に配置され、次に、セル１６がプラスチック支持体１２に取り付けられる。最後に、セル１６を固定し且つ保護するために、頂部フレーム１７がフレーム構造１１及びセル１６に固定される。図１に示されるパネルモジュール１０の組立て完了後、図２に示されるように、頂部カバー１９及び底部カバー１８が装飾部品としてパネルモジュール１０に組み立てられる。図３は、光源側を示す図２中のフラットパネルディスプレイ２０の概略図である。光源側のバックライトユニット２７が光ガイド板１４の側でフレーム構造１１の内側に固定されるのに対し、クッション２８がバックライトユニット２７とセル１６との間に加えられて、それらの間に適切な間隙をもたらす。セル１６を駆動し且つ制御するために利用される制御回路板１６１が底部カバー１８の光源側の外側に、即ち、底部カバー１８のハウジング１８１に構成される。制御回路板１６１は、膜回路１６２上のチップを介して、セル１６に電気的に接続される。図３は、制御回路板１６１を収容するために追加的な空間が必要とされることを示している。従って、従来技術に従ったフラットパネルディスプレイは、光源側に少なくとも幅Ｗ２のための追加的なフレームサイズを必要とする。そのようにして、フラットパネルディスプレイ２０の光源側のフレーム幅は、ほぼＷ１＋Ｗ２であり、それはフレーム幅を更に削減することの制約である。
【発明の概要】
【発明が解決しようとする課題】
【０００４】
本発明の目的は、従来技術の上記問題点を解決することである。
【課題を解決するための手段】
【０００５】
本発明のある実施態様は、薄いフレームを備えるフラットパネルディスプレイを提供する。フラットパネルディスプレイは、フレーム構造と、反射器と、バックライトユニットと、光ガイド板と、光学膜と、制御回路板と、セルと、頂部フレームとを含む。フレーム構造は、第一支持部と、第二支持部と、側部とを含む。第一支持部は、凹部を含む。反射器は第一支持部の上に構成され、バックライトユニット及び光ガイド板は反射器の上に構成され、光学膜は光ガイド板の上に構成される。制御回路板はフレーム構造の凹部に構成される。セルは第二支持部の上に配置され、可撓接続配線を介して制御回路板に接続される。セルを固定するために、頂部フレームはセル及び側部に取り付けられる。
【０００６】
本発明のある実施態様は、薄いフレームを備えるフラットパネルディスプレイを提供し、フレーム構造はモノリシック構造（一体構造）である。反射器、バックライトユニット、光ガイド板、及び、光学膜は、第一方向に沿って第一支持部の上に順々に積み重なる。セルは、第一方向に沿って第二支持部の上に配置され、フレーム構造の側部は、第一方向の向きを有し、可撓接続配線は、第一方向に沿って延び、制御回路板に接続する。
【０００７】
本発明のある実施態様は、第一カバーと第二カバーとを更に含むフラットパネルディスプレイを提供する。第一カバーは、第一組立て端部を含み、第二カバーは、第二組立て端部を含む。フレーム構造が第一カバーに組み立てられるよう、フレーム構造は、固定具を介して第一カバーに固定されるよう、側部に配置される突起を含む。第二カバーはセルの外周を覆い、第二組立て端部を第一組立て端部に固定することによって第一カバーと組み立てられる。
【０００８】
本発明のある実施態様は、可撓な接続配線がチップ・オン・フィルム（ＣＯＦ）回路であり且つバックライトユニットが光ガイド板の側に構成される発光ダイオードである、フラットパネルディスプレイを提供する。可撓な接続配線は光源に沿って凹部に向かって延び、制御回路板に接続する。
【０００９】
本発明のある実施態様は、バックライトユニットとセルとの間に構成されるクッションを更に含むフラットパネルディスプレイを提供する。
【００１０】
フラットパネルディスプレイは、本発明の実施態様によって、制御回路板を提供し、制御回路板は、光源側で外側フレームの幅を大きく減少するために、可撓接続配線を介してフレーム構造の下流でセルを駆動し且つ制御する。モノリシック構造は、材料コスト並びに梱包及び輸送コストを更に削減する。
【００１１】
本発明のこれらの及び他の目的は、様々な図面中に例示される好適実施態様に関する以下の詳細な説明を判読した後、当業者に疑いなく明らかになるであろう。
【図面の簡単な説明】
【００１２】
【図１】従来技術に従ったパネルモジュールの非光源側の組立てを示す概略図である。
【図２】頂部カバー及び底部カバーを備える図１中のフラットパネルディスプレイを示す概略図である。
【図３】光源側を示す図２中のフラットパネルディスプレイを示す概略図である。
【図４】本発明のある実施態様に従った非光源側を示すパネルモジュールを示す概略図である。
【図５】本発明のある実施態様に従った非光源側を示す第一カバーと共に組み立てられた図４中のパネルモジュールを示す概略図である。
【図６】フレーム構造と共に組み立てられた他の実施態様に従った第一カバーを示す概略図であり、非光源側を示している。
【図７】フラットパネルディスプレイを示す概略図であり、非光源側を示している。
【図８】本発明のある実施態様に従った光源側を示すフラットパネルディスプレイを示す概略図である。
【発明を実施するための形態】
【００１３】
本発明は、ディスプレイのフレーム及びプラスチック支持体の代わりに第一カバーを使用することによって、ノートブックの蝶番上の上方部分のためのディスプレイのようなフラットパネルディスプレイの部品点数及びコストを削減する。図４を参照のこと。図４はパネルモジュール３０の概略図であり、本発明の実施態様に従った非光源側を示している。パネルモジュール３０は、モノリシック構造であるフレーム構造４０を含む。フレーム構造をポリカーボネート（ＰＣ）、ポリカーボネート及びアクリルニトリルブタジエンスチレン（ＡＢＳ）の混合物、又は、射出成形のために利用される材料で作製可能であり、図７に示されるように、フレーム構造はフラットパネルディスプレイ５０の内側支持構造として使用される。フレーム構造４０は、第一支持部４１と、第二支持部４２と、側部４３とを含む。本発明の実施態様において、第一支持部４１及び第二支持部４２は、フラットパネルディスプレイ５０の構成部品のための優れた支持をもたらすよう、図面中のｘ方向又は水平方向に沿う向きを有する。側部４３は、他の構成部品に組み立てられるよう、図面中のｙ方向又は垂直方向に沿う向きを有する。図面中のフレーム構造４０の形状は、本発明のある非限定的な実施態様を示しているに過ぎず、前述の機能を有する如何なるフレーム構造４０も本発明の範囲内に含められるべきである。
【００１４】
フラットパネルディスプレイ５０のパネルモジュール３０は、反射器３３と、（図８中のバックライトユニット５７のような）バックライトユニットと、光ガイド板３４と、複数の光学膜３５と、セル３６とを含む。組立てプロセス中、反射器３３、バックライトユニット５７、光ガイド板３４、及び、光学膜３５は、垂直に下向きに、或いは、図４中のｙ軸に沿う方向に、フレーム構造４０の第一支持部４１上に順々に積み重なる。より具体的に言えば、反射器３３が第一支持部４１上に構成され、バックライトユニット５７及び光ガイド板３４が反射器３３上に構成され、光学膜３５が光ガイド板３４上に構成される。次に、セル３６が第二支持部４２上に垂直に下向きに配置される。
【００１５】
図５を参照のこと。図５は、第一カバー３８又は底部カバーと共に組み立てられた図４中のパネルモジュール３０の概略図であり、本発明のある実施態様に従った非光源側を示している。第一カバー３８は、第二カバーと共に組み立てられるよう、ｙ軸に沿って上向きに延びる第一組立て端部３８１を含む。フレーム構造４０は突起４４を更に含み、この実施態様において、突起４４は側部４３から水平に延びている。フレーム構造４０を第一カバー３８に固定するために、ネジ又は他の種類の固定素子のような固定具４８を使用し得る。第一カバー３８とフレーム構造４０との間のそのような固定を用いるならば、２つの構成部品を分解するのは容易であり、それは反復処理の欠点を実質的に低減する。
【００１６】
図６を参照のこと。図６は、フレーム構造４０と共に組み立てられた他の実施態様に従った第一カバー３８’の概略図である。突起４４及び位置決め部３８２への固定具４８の容易な固定を可能にするために、第一カバー３８’は、図６に示されるように、位置決め部３８２を更に配置可能であり、それによって、第一カバー３８’と共に組み立てられるときに、フレーム構造４０を良好に位置決め得る。
【００１７】
図７では、セル３６を固定し且つ保護するために、次に、フラットパネルディスプレイ５０の頂部フレーム３７が、セル３６とフレーム構造４０の側部４３とに取り付けられる。最後に、フラットパネルディスプレイ５０の第二カバー３９又は頂部カバーが、セル３６の外周を覆うよう垂直に下向きに置かれ、同様に垂直に向けられる第二カバー３９の第二組立て端部３９１を使用することによって、第一カバー３８に取り付けられ且つ組み立てられ、第二組立て端部３９１は、フラットパネルディスプレイ５０の組立てプロセスを完了するために、第一カバー３８の第一組立て端部３８１に組み立てられる。特別に設計される本発明の実施態様のフレーム構造４０を用いるならば、第一カバー３８及び第二カバー３９を含む上述されたフラットパネルディスプレイ５０の各構成部品を１つの工場内で直接的且つ完全に組立て可能であり、組立てプロセス及び梱包及び異なる工場間の輸送のコストを節約する。
【００１８】
図８を参照のこと。図８は、本発明のある実施態様に従った光源側を示すフラットパネルディスプレイ５０の概略図である。フラットパネルディスプレイ５０は、セル３６を駆動し且つ制御するための制御回路板３６１と、セル３６と制御回路板３６１との間に接続される可撓な接続配線３６２とを更に含む。光源側のフラットパネルディスプレイ５０のフレームの厚みを減少するために、接続配線３６２によって接続される制御回路板３６１は、フレーム構造４０の第一支持部４１の下面に経路変更(reroute)され、その場合には、制御回路板３６１を収容するために、凹部４５が第一支持部４１の下面に配置される。接続配線３６２は、好ましくは、フラットパネルディスプレイ５０のバックライトユニット５７が配置される光源側に沿って適合するよう随意に曲げ得るチップ・オン・フィルム（ＣＯＦ）であり、凹部４５内に収容される制御回路板３６１に接続するよう、第一支持部４１の凹部４５に向かって或いはｙ方向に沿って延びる。この実施態様において、バックライトユニット５７は、好ましくは、光ガイド板３４の側に構成される発光ダイオード部品であり、フラットパネルディスプレイ５０の光源側を定めることに留意のこと。バックライトユニット５７とセル３６との間の距離を適切に調節するために、バックライトユニット５７とセル３６との間に更にクッション５８を配置し得る。セル３６を制御するために利用される制御回路板３６１がフレーム構造４０の下面に構成されるよう経路変更されるという構成を付与するならば、光源側で制御回路板３６１を収容するようフラットパネルディスプレイ５０の最外側フレームのために必要とされる空間を大きく減少し得る。そのようにして、フラットパネルディスプレイ５０の光源側でのフレーム幅は、ほぼＷ３であり、それはフラットパネルディスプレイ５０の薄いフレームの要件に役立つ。
【００１９】
本発明の実施態様に開示される一体的なフレーム構造を有するフラットパネルディスプレイは、金属フレーム及びプラスチック支持体の機能を組み込み、それらは各構成部品を一体的なフレーム構造として支持し、位置付け、且つ、固定するので、バックライトモジュール及びパネルモジュールを組み立てるために、フラットパネルディスプレイのための追加的な構造部品は必要とされない。フレーム構造はネジを介して底部カバーに組み立てられ、それは反復処理の欠陥を軽減し得る。フレーム構造の底部にある凹部はパネルセル用の制御回路板を収容し得るので、制御回路板を下向きにフレーム構造の底部に経路変更し得る。フラットパネルディスプレイの光源側で必要とされる空間を減少可能であり、故に、光源側で薄いフレームを備えるフラットパネルディスプレイをもたらし得る。
【００２０】
当業者は本発明の教示を保持しながら装置及び方法の数多くの修正及び変更を行い得ることを直ちに観察するであろう。
【符号の説明】
【００２１】
１０    パネルモジュール  (panel  module)
１１    フレーム構造  (frame  structure)
１２    プラスチック支持体  (plastic  support)
１３    反射器  (reflector)
１４    光ガイド板  (light  guide  plate)
１５    光学膜  (optical  film)
１６    セル  (cell)
１７    頂部フレーム  (top  frame)
１６１  制御回路板  (control  circuit  board)
１６２  膜回路  (film  circuit)
１８    底部カバー  (bottom  cover)
１８１  ハウジング  (housing)
１９    頂部カバー  (top  cover)
２０    フラットパネルディスプレイ  (flat  panel  display)
２７    バックライトユニット  (backlight  unit)
２８    クッション  (cushion)
３０    パネルモジュール  (panel  module)
３３    反射器  (reflector)
３４    光ガイド板  (light  guide  plate)
３５    光学膜  (optical  film)
３６    セル  (cell)
３６１  制御回路板  (control  circuit  board)
３６２  可撓接続配線  (flexible  connecting  wiring)
３７    頂部フレーム  (top  frame)
３８    第一カバー  (first  cover)
３８１  第一組立て端部  (first  assembling  end)
３８２  位置決め部  (positioning  section)
３８’  第一カバー  (first  cover)
３９    第二カバー  (second  cover)
３９１  第二組立て端部  (second  assembling  end)
４０    フレーム構造  (frame  structure)
４１    第一支持部  (first  supportive  part)
４２    第二支持部  (second  supportive  part)
４３    側部  (side  portion)
４４    突起  (protrusion)
４５    凹部  (concave  section)
４８    固定具  (fixtures)
５０    フラットパネルディスプレイ  (flat  panel  display)
５７    バックライトユニット  (backlight  unit)
５８    クッション  (cushion)
【図１】
0005496980.tif 000002
【図２】
0005496980.tif 000003
【図３】
0005496980.tif 000004
【図４】
0005496980.tif 000005
【図５】
0005496980.tif 000006
【図６】
0005496980.tif 000007
【図７】
0005496980.tif 000008
【図８】
0005496980.tif 000009